(57)【要約】【課題】液密を確保しつつ、処置具の摺動性が高い構成を具備する処置具挿通具を提供する。【解決手段】被検体内に挿入される挿入機器に取り付けられ、被検体を処置する処置具を被検体内に挿入させる処置具挿通具２０であって、処置具３１を被検体内に案内する筒状のチューブ２１と、挿入機器の挿入部が被検体内に挿入された際、挿入部の被検体外に位置する部位に着脱自在であるとともに、チューブ２１の一端２１ａ側に設けられチューブ２１への処置具３１の挿通口となる案内部本体２２と、処置具３１に取り付けられるとともに、案内部本体２２に対して相対的に移動可能に装着されるスライダ４１と、チューブ２１内に充填された潤滑剤５０と、を具備する。【選択図】図２
2017104185.tif 000002
【特許請求の範囲】
【請求項１】
被検体内に挿入される挿入機器に取り付けられ、前記被検体を処置する処置具を前記被検体内に挿入させる処置具挿通具であって、
前記処置具を前記被検体内に案内する筒状の処置具案内部と、
前記挿入機器の挿入部が前記被検体内に挿入された際、前記挿入部の前記被検体外に位置する部位に着脱自在であるとともに、前記処置具案内部の一端側に設けられ前記処置具案内部への前記処置具の挿通口となる案内部本体と、
前記処置具に取り付けられるとともに、前記案内部本体に対して相対的に移動可能に装着される処置具操作部と、
前記処置具案内部内に充填された潤滑剤と、
を具備することを特徴とする処置具挿通具。
【請求項２】
前記潤滑剤は、ゲル状を有していることを特徴とする請求項１に記載の処置具挿通具。
【請求項３】
前記潤滑剤は、前記処置具案内部内に前記処置具が挿入された際、前記処置具案内部の内面と、前記処置具の外面との間に位置することを特徴とする請求項１に記載の処置具挿通具。
【請求項４】
前記処置具案内部内の前記一端側に、前記処置具が通過する孔を有するとともに前記処置具案内部内からの前記潤滑剤の移動を抑制する仕切りが設けられていることを特徴とする請求項１に記載の処置具挿通具。
【請求項５】
前記仕切りは、さらに前記処置具案内部内の前記一端側とは反対側の他端側に設けられていることを特徴とする請求項４に記載の処置具挿通具。
【請求項６】
前記潤滑剤は、前記処置具案内部内において、該処置具案内部の全長に亘って充填されていることを特徴とする請求項１に記載の処置具挿通具。
【請求項７】
前記処置具操作部は、前記案内部本体に対して着脱自在であるとともに、前記処置具に取り付けられた状態において前記案内部本体に対して相対的に移動することを特徴とする請求項１に記載の処置具挿通具。
【請求項８】
前記処置具案内部は、前記一端側と反対側の他端側が、前記挿入機器の操作部に設けられる処置具挿通路の開口に着脱自在であることを特徴とする請求項１に記載の処置具挿通具。
【請求項９】
前記案内部本体は、前記処置具操作部の移動範囲を規制する移動規制部を有していることを特徴とする請求項１に記載の処置具挿通具。
【発明の詳細な説明】
【技術分野】
【０００１】
本発明は、被検体内に挿入される挿入機器に取り付けられ、被検体を処置する処置具を被検体内に挿入させる処置具挿通具に関する。
【背景技術】
【０００２】
近年、被検体内に挿入される挿入機器、例えば内視鏡は、医療分野において広く利用されている。
【０００３】
医療分野において用いられる内視鏡は、細長い挿入部を被検体となる体腔内に挿入することによって、体腔内の臓器を観察したり、必要に応じて内視鏡が具備する処置具挿通路に挿入した処置具を用いて体腔内の臓器の対象部位（以下、処置対象部位と称す）に対して各種処置をしたりすることができる。
【０００４】
尚、体腔内の観察を行う際は、術者は、内視鏡画像を観察しながら、例えば右手で内視鏡の挿入部を把持して挿入部の各種操作を行うとともに、左手で内視鏡の操作部の各種操作を行う手技が一般的である。
【０００５】
また、体腔内の処置対象部位の処置を行う際は、術者は、右手を一旦挿入部から離した後、右手で処置具を把持して、操作部に設けられた処置具挿通路の開口を介して処置具挿通路に処置具を挿入し、該処置具を挿入部の先端に形成された処置具挿通路の先端開口から被検体内に突出させて各種処置を行う手技が一般的である。
【０００６】
ここで、体腔内の処置対象部位に対して処置具を用いて各種処置を行う際、適切な処置を行うためには、術者は内視鏡画像を観察しながら処置対象部位に対して挿入部の先端位置及び処置具の先端位置を微調整する必要が生じる。
【０００７】
ところが、上述したように、術者は、右手で挿入部の各種操作と処置具の各種操作とを選択的に行うことから、処置対象部位に対する挿入部の先端位置及び処置具の先端位置の微調整を同時に行うことが難しいといった問題があった。
【０００８】
また、上述したように、術者は、右手で行う処置具の各種操作を挿入部から右手を離して行わなければならないため、処置対象部位に対する処置具の先端位置の微調整を行っていると、処置対象部位に対する挿入部の先端位置がずれてしまうといった問題もあった。
【０００９】
このような問題に鑑み、特許文献１には、操作部に設けられた処置具挿通路の開口に一端が着脱自在な筒状の処置具案内部と、該処置具案内部の他端に設けられるとともに挿入部の被検体外に位置する部位に着脱自在な案内部本体とを具備した、処置具を被検体内に挿入させる処置具挿通具が開示されている。
【００１０】
特許文献１に開示された処置具挿通具においては、案内部本体が挿入部の被検体外に位置する部位に装着され、処置具案内部の一端が処置具挿通路の開口に装着された状態において、処置具が案内部本体、処置具案内部を介して処置具挿通路に挿入され、挿入部先端の先端開口から被検体内に突出された状態において、術者は、右手で挿入部を把持したまま右手で案内部本体に対して固定されたスライダ等の処置具操作部を用いて処置具の位置調整を行うことができるため、右手のみで処置対象部位に対する挿入部の先端位置及び処置具の先端位置の微調整を同時に行うことができる。
【先行技術文献】
【特許文献】
【００１１】
【特許文献１】国際出願公開ＷＯ２０１３／０６５５０９号公報
【発明の概要】
【発明が解決しようとする課題】
【００１２】
ここで、処置具挿通路、処置具案内部内及び案内部本体内は、上述したように被検体内に連通している。また、被検体内は外気圧よりも圧力が高い。
【００１３】
このため、処置具挿通路、処置具案内部内及び案内部本体内を介して被検体内に処置具を挿入して処置対象部位に対して各種処置を行っている際、被検体内の圧力が外気圧よりも高いことに起因して、被検体内の液体、固形物等（以下、汚物と称す）には、処置具挿通路、処置具案内部内及び案内部本体内を介して被検体外に排出しようとする力が働いてしまう。その結果、案内部本体における処置具の挿通口を介して被検体内の汚物が漏れ出てしまう。
【００１４】
この被検体内の汚物の漏れを防ぐため、例えば処置具案内部内に、Ｏリングや弁等の液密部材が設けられた液密構造を有する処置具挿通具も考えられる。
【００１５】
しかしながら、この液密構造を有することにより、液密部材によって処置具の動きに抵抗が加わることになり、処置具案内部内における処置具の摺動性が低下してしまうことから、処置具の操作性が低下してしまうといった問題があった。
【００１６】
本発明は、上記問題点に鑑みなされたものであり、液密を確保しつつ、処置具の摺動性が高い構成を具備する処置具挿通具を提供することを目的とする。
【課題を解決するための手段】
【００１７】
上記目的を達成するため本発明の一態様における処置具挿通具は、被検体内に挿入される挿入機器に取り付けられ、前記被検体を処置する処置具を前記被検体内に挿入させる処置具挿通具であって、前記処置具を前記被検体内に案内する筒状の処置具案内部と、前記挿入機器の挿入部が前記被検体内に挿入された際、前記挿入部の前記被検体外に位置する部位に着脱自在であるとともに、前記処置具案内部の一端側に設けられ前記処置具案内部への前記処置具の挿通口となる案内部本体と、前記処置具に取り付けられるとともに、前記案内部本体に対して相対的に移動可能に装着される処置具操作部と、前記処置具案内部内に充填された潤滑剤と、を具備する。
【発明の効果】
【００１８】
本発明によれば、液密を確保しつつ、処置具の摺動性が高い構成を具備する処置具挿通具を提供することができる。
【図面の簡単な説明】
【００１９】
【図１】第１実施の形態の処置具挿通具を内視鏡とともに示す図
【図２】図１の処置具挿通具の一部の断面を、処置具操作部が取り付けられた処置具の一部とともに示す図
【図３】第２実施の形態の処置具挿通具の一部を示す部分断面図
【図４】図３の処置具挿通具の処置具案内部に、潤滑剤注入口と空気抜き孔が形成された構成を示す部分断面図
【発明を実施するための形態】
【００２０】
以下、図面を参照して本発明の実施の形態を説明する。尚、以下に示す実施の形態において、挿入機器は、内視鏡を例に挙げて説明する。
【００２１】
（第１実施の形態）
図１は、本実施の形態の処置具挿通具を内視鏡とともに示す図、図２は、図１の処置具挿通具の一部の断面を、処置具操作部が取り付けられた処置具の一部とともに示す図である。
【００２２】
図１に示すように、挿入機器である内視鏡１は、被検体内に挿入される挿入部２と、該挿入部２の基端側に連設された操作部３と、該操作部３から延出されたユニバーサルコード８と、該ユニバーサルコード８の延出端に設けられたコネクタ９とを具備して主要部が構成されている。尚、コネクタ９を介して、内視鏡１は、制御装置や照明装置等の外部装置と電気的に接続される。
【００２３】
操作部３に、挿入部２の湾曲部２ｗを上下方向に湾曲させる上下用湾曲操作ノブ４と、湾曲部２ｗを左右方向に湾曲させる左右用湾曲操作ノブ６とが設けられている。
【００２４】
さらに、操作部３に、上下用湾曲操作ノブ４の回動位置を固定する固定レバー５と、左右用湾曲操作ノブ６の回動位置を固定する固定ノブ７とが設けられている。また、操作部３には、既知の各種操作スイッチ等が設けられている。
【００２５】
尚、操作部３に設けられた各種ノブ４、６、７、レバー５、各種スイッチ等は、例えば術者の左手によって操作される。
【００２６】
挿入部２は、先端側から順に、先端部２ｓと湾曲部２ｗと可撓管部２ｋとを具備して構成されており細長に形成されている。尚、挿入部２は、例えば術者の右手によって操作される。
【００２７】
尚、上述とは反対に、挿入部２の各種操作が術者の左手で行われ、操作部３の各種操作が術者の右手で行われても構わない。
【００２８】
湾曲部２ｗは、上下用湾曲操作ノブ４や左右用湾曲操作ノブ６の回動操作により、例えば上下左右の４方向に湾曲されることにより、先端部２ｓ内に設けられた図示しない撮像ユニットの観察方向を可変したり、被検体内における先端部２ｓの挿入性を向上させたりするものである。さらに、可撓管部２ｋは、湾曲部２ｗの基端側に連設されている。
【００２９】
また、挿入部２及び操作部３内には、処置具挿通路１０が設けられている。処置具挿通路１０は、一端が先端部２ｓの先端面に先端開口１０ａとして開口されており、他端が操作部３に挿通口１０ｂとして開口されている。
【００３０】
尚、その他の内視鏡１の構成は、一般的な内視鏡の構成と同じであるため、その詳しい説明は省略する。
【００３１】
処置具挿通具２０は、内視鏡１に取り付けられ、被検体内を処置する処置具３１を、被検体内へと挿入させるものである。
【００３２】
尚、本実施の形態においては、処置具が１本の場合を例に挙げて示しているが、処置具挿通具２０は、複数本や複数種類の処置具を選択的に被検体内へと挿入するものであっても構わない。
【００３３】
処置具挿通具２０は、処置具案内部であるチューブ２１と、案内部本体２２と、処置具操作部であるスライダ４１とを具備して主要部が構成されている。
【００３４】
チューブ２１は、処置具３１を被検体内に案内する筒状部材であり、例えばテフロン（登録商標）等の樹脂から構成されている。
【００３５】
具体的には、チューブ２１は、他端２１ｂが内視鏡１に設けられた処置具挿通路１０の挿通口１０ｂに着脱自在であり、接続後、案内部本体２２内からチューブ２１内に挿入された処置具３１を、処置具挿通路１０を介して先端開口１０ａから被検体内に突出させて被検体内に案内するものである。
【００３６】
案内部本体２２は、図１、図２に示すように、チューブ２１の一端２１ａ側に設けられている。
【００３７】
また、案内部本体２２は、内部にチューブ２１の内部の空間２１ｉに連通し、処置具３１が通過するとともにスライダ４１が装着される空間２２ｉを有し、該空間２２ｉの基端が空間２１ｉへの処置具３１の挿通口２２ｐを構成している。
【００３８】
さらに、案内部本体２２は、挿入部２が被検体内に挿入された際、挿入部２の可撓管部２ｋにおける被検体外に位置する、例えば１点鎖線で囲った部位２ｚに着脱自在となっている。
【００３９】
尚、案内部本体２２は、被検体外に位置する部位２ｚに装着された後は、部位２ｚから位置がずれてしまうことがないよう構成されている。
【００４０】
さらに、図２に示すように、案内部本体２２に対し、挿通口２２ｐ及び空間２２ｉに連通する移動規制部であるスリット２２ｓが形成されている。
【００４１】
尚、スリット２２ｓは、案内部本体２２に対し、チューブ２１が処置具３１を案内する長手方向Ｎに沿って形成されている。
【００４２】
スライダ４１は、処置具３１に対して事前に取り付けられるものであって、案内部本体２２の空間２２ｉに対して着脱自在であり、装着後、チューブ２１に対して相対的に移動可能となる。尚、スライダ４１は、処置具３１に対して着脱自在であっても構わない。
【００４３】
具体的には、図２に示すように、スライダ４１は、外表面に突起４１ｔが設けられており、突起４１ｔがスリット２２ｓに嵌入自在なことにより、処置具３１に取り付けられた状態で案内部本体２２の空間２２ｉに対して相対的に移動する。
【００４４】
より具体的には、スリット２２ｓにおける先端２２ｓａと基端２２ｓｂとの間の長手方向Ｎにおける突起４１ｔの前後移動に伴い、スライダ４１は、案内部本体２２の空間２２ｉに対して相対的に移動する。よって、スリット２２ｓは、スライダ４１の移動範囲を規制している。
【００４５】
尚、案内部本体２２にスライダ４１が装着された状態においては、処置具３１が、空間２１ｉ及び空間２２ｉに挿入され、スライダ４１が空間２２ｉに挿入され、スリット２２ｓに突起４１ｔが嵌入される。また、この状態においては、図１に示すように、処置具３１の先端３１ｓは、先端開口１０ａから被検体内に突出されている。
【００４６】
この状態において、術者は、内視鏡画像を観察しながら、例えば右手で挿入部２を把持した状態で、長手方向Ｎに沿って右手で突起４１ｔをスリット２２ｓ内において先端２２ｓａと基端２２ｓｂとの間を前後に移動させることにより、被検体内に突出された処置具３１の先端側の位置を微調整することができる。
【００４７】
さらに、同時に、術者は、内視鏡画像を観察しながら、右手で挿入部２の先端部２ｓの先端の位置を微調整することができる。
【００４８】
ここで、図２に示すように、チューブ２１内の空間２１ｉに、潤滑剤５０が高密度に充填されている。
【００４９】
潤滑剤５０は、流動パラフィンや、ヒドロキシエチルセルロース、メチルパラペン等のパラフィンやテフロン（登録商標）のようなフッ素樹脂等を含むゲル状部材から構成されている。
【００５０】
尚、潤滑剤５０は、潤滑パウダや、泡状部材等であっても構わないし、さらには、グラファイト（黒鉛）、ＰＴＦＥ（テフロン（登録商標）等が代表のポリテトラフルオロエチレン）等の固体潤滑剤であっても構わない。
【００５１】
また、潤滑剤５０は、空間２１ｉに対し、チューブ２１の全長に亘って、即ち、一端２１ａから他端２１ｂまで充填されていても構わないし、空間２１ｉの一部のみ、例えばチューブ２１の略中央領域のみに充填されていても構わない。
【００５２】
空間２１ｉに潤滑剤５０が充填されていることにより、処置具３１は、空間２１ｉを通過する際、潤滑剤５０を押しのけて空間２１ｉを摺動移動する。
【００５３】
よって、空間２１ｉに処置具３１が挿入されている状態においては、図２に示すように、潤滑剤５０は、チューブ２１の内面２１ｎと処置具３１の外面３１ｇとの間に位置している。
【００５４】
尚、処置具３１が空間２１ｉを通過する際の処置具３１の摺動移動や、被検体内の圧力が大気圧よりも高い等に伴い、チューブ２１の一端２１ａ及び他端２１ｂの開口からまたは一端２１ａの開口から潤滑剤５０を押し出そうとするが、空間２１ｉには、潤滑剤５０は高密度に充填されているため、潤滑剤５０の漏れが防止されている。
【００５５】
よって、空間２１ｉに対し、チューブ２１の全長に亘って潤滑剤５０が充填されている構成よりも、一部のみに潤滑剤５０が充填されている構成の方が、空間２１ｉに対する処置具３１の通過や被検体内の圧力が大気圧よりも高い等に伴って、潤滑剤５０が空間２１ｉからチューブ２１の外部に漏れることをより確実に防止することができる。
【００５６】
また、当然、空間２１ｉに対し、チューブ２１の全長に亘って潤滑剤５０が充填されている構成よりも、一部のみに潤滑剤５０が充填されている構成の方が、空間２１ｉに対する処置具３１の摺動性が良い。
【００５７】
潤滑剤５０は、被検体内が大気圧よりも圧力が高いことによって体外に向かって被検体内の汚物を排出しようとすることに伴い、処置具挿通路１０を介して空間２１ｉから空間２２ｉへと汚物が移動してしまうことを抑制するものである。
【００５８】
よって、このことを考慮すれば、潤滑剤５０は、空間２１ｉに対し、チューブ２１の全長に亘って潤滑剤５０が充填されている構成の方が、一部のみに潤滑剤５０が充填されている構成よりも汚物の移動に対する抑制力が高い。
【００５９】
尚、その他の処置具挿通具２０の構成は、従来と同じであるため、その説明は省略する。
【００６０】
このように、本実施の形態においては、処置具挿通具２０のチューブ２１の空間２１ｉに、潤滑剤５０が高密度に充填されていると示した。
【００６１】
このことによれば、挿通口１０ｂにチューブ２１の他端２１ｂが接続され、空間２１ｉ及び空間２２ｉが被検体内に開口された処置具挿通路１０に連通している状態において、被検体内が大気圧よりも圧力が高いことによって体外に向かって被検体内の汚物を排出しようとすることに伴い、処置具挿通路１０を介して空間２１ｉからチューブ２１の外部である空間２２ｉへと汚物が移動してしまうことを潤滑剤５０が抑制する。
【００６２】
よって、処置具３１に設けられたスライダ４１を操作して処置具３１の先端位置の微調整をしている最中や処置具３１を交換するときに、挿通口２０ｐを介して被検体内の汚物が体外に漏れ出てしまうことを潤滑剤５０により確実に防止することができる。
【００６３】
また、潤滑剤５０は、潤滑性を有することにより、チューブ２１の空間２１ｉを処置具３１が摺動移動する際、処置具３１との間の摺動抵抗が小さいことから、処置具３１の摺動性を阻害してしまうことを最小限に抑えることができる。
【００６４】
以上から、液密を確保しつつ、処置具３１の摺動性が高い構成を具備する処置具挿通具２０を提供することができる。
【００６５】
（第２実施の形態）
図３は、本実施の形態の処置具挿通具の一部を示す部分断面図、図４は、図３の処置具挿通具の処置具案内部に、潤滑剤注入口と空気抜き孔が形成された構成を示す部分断面図である。
【００６６】
この第２実施の形態の処置具挿通具の構成は、上述した図１、図２に示した第１実施の形態の処置具挿通具と比して、処置具案内部内に、潤滑剤の移動を抑制する仕切りが設けられている点が異なる。
【００６７】
よって、この相違点のみを説明し、第１実施の形態と同様の構成には同じ符号を付し、その説明は省略する。
【００６８】
図３に示すように、チューブ２１の空間２１ｉの一端２１ａ側に、処置具３１が通過する孔６１ｈを有するとともに、空間２１ｉからの潤滑剤５０の移動を抑制する仕切りである膜６１が設けられていても構わない。
【００６９】
また、仕切りは、チューブ２１の空間２１ｉの他端２１ｂ側に、処置具３１が通過する孔６２ｈを有する膜６２として設けられていても構わない。
【００７０】
尚、仕切りは、潤滑剤５０の移動を抑制できる柔軟なものであれば、膜以外から構成されていても構わない。
【００７１】
また、孔６１ｈ、６２ｈの径は、処置具３１の外径よりも小径に形成されている。このことにより、膜６１、６２は、処置具３１の外面３１ｇに密着して液密を維持することから、孔６１ｈ、６２ｈを介して潤滑剤５０が漏れ出てしまうことが防止されている。
【００７２】
尚、本実施の形態においては、図３に示すように、潤滑剤５０が空間２１ｉに対し、チューブ２１の全長に亘って潤滑剤５０が充填されている構成を例に挙げて示しているが、これに限らず、上述した第１実施の形態において示したように、空間２１ｉに対し、一部のみに潤滑剤５０が充填されている構成にも適用可能である。
【００７３】
さらに、空間２１ｉに潤滑剤５０を注入する際は、図４に示すように、チューブ２１に空間２１ｉに連通する潤滑剤注入口２１ｗと、空気抜き孔２１ｙとが形成されていれば、空気抜き孔２１ｙに接続された二方活栓６６を開いた後、潤滑剤注入口２１ｗに接続された注入ユニット６５を介して、容易に空間２１ｉに潤滑剤５０を注入することができる。
【００７４】
尚、その他の構成は、上述した第１実施の形態と同じである。
【００７５】
このような構成によれば、膜６１、６２により、上述した第１実施の形態よりも確実に空間２１ｉから潤滑剤５０がチューブ２１の外部に漏れることを抑制することができる。尚、その他の効果は、上述した第１実施の形態と同じである。
【００７６】
尚、上述した第２実施の形態の構成では、膜６１、６２を用いているため、潤滑剤５０の漏れを確実に抑制することができる反面、空間２１ｉにおける処置具３１の摺動性は低下してしまう。
【００７７】
よって、処置具挿通具２０において、第１実施の形態の構成を採用するか、第２実施の形態の構成を採用するかは、あるいは空間２１ｉに充填する潤滑剤５０の充填量をどのくらいにするかは、即ち、これらの構成を有するどの処置具挿通具２０を、挿通口１０ｂに選択的に接続するかは、被検者の腹圧、術式の種類、術式にかかる時間の長さ等を参考にして選択すれば良い。
【００７８】
尚、上述した第１、第２実施の形態においては、挿入機器は、内視鏡１を例に挙げて示したが、これに限らず、内視鏡以外の処置具挿通路を具備する挿入機器にも適用可能であることは云うまでもない。
【００７９】
また、上述した第１、第２実施の形態においては、チューブ２１の他端は、挿通口１０ｂに接続されていると示したが、これに限らず、チューブ２１が挿入部２の外周に固定されることにより、処置具３１を直接被検体内にチューブ２１が案内する構成であっても良いことは勿論である。
【符号の説明】
【００８０】
１…内視鏡（挿入機器）
２…挿入部
２ｚ…挿入部の被検体外に位置する部位
３…操作部
１０…処置具挿通路
１０ｂ…挿通口（処置具挿通路の開口）
２０…処置具挿通具
２１…チューブ（処置具案内部）
２１ａ…チューブの一端
２１ｂ…チューブの他端
２１ｎ…チューブの内面
２２…案内部本体
２２ｐ…案内部本体の挿通口
２２ｓ…スリット（移動規制部）
３１…処置具
３１ｇ…処置具の外面
４１…スライダ（処置具操作部）
５０…潤滑剤
６１…膜（仕切り）
６１ｈ…膜の孔
６２…膜（仕切り）
６２ｈ…膜の孔
【図１】
2017104185.tif 000003
【図２】
2017104185.tif 000004
【図３】
2017104185.tif 000005
【図４】
2017104185.tif 000006